【手続補正書】
【提出日】平成25年12月20日(2013.12.20)
【手続補正１】
【補正対象書類名】特許請求の範囲
【補正対象項目名】全文
【補正方法】変更
【補正の内容】
【特許請求の範囲】
【請求項１】
動き補償予測を行う画像復号装置であって、
復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する候補リスト生成部と、
前記候補に含まれる第１の候補から第１の予測リストの動き情報を取得する第１の動き情報取得部と、
前記候補に含まれる第２の候補から第２の予測リストの動き情報を取得する第２の動き情報取得部と、
前記第１の動き情報取得部により取得された前記第１の予測リストの動き情報と、前記第２の動き情報取得部により取得された前記第２の予測リストの動き情報を組み合わせて、動き情報の新たな候補を生成する選択候補生成部と
を備えることを特徴とする画像復号装置。
【請求項２】
動き補償予測を行う画像復号方法であって、
復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する候補リスト生成ステップと、
前記候補に含まれる第１の候補から第１の予測リストの動き情報を取得するステップと、
前記候補に含まれる第２の候補から第２の予測リストの動き情報を取得するステップと、
前記第１の予測リストの動き情報と、前記第２の予測リストの動き情報を組み合わせて、動き情報の新たな候補を生成する選択候補生成ステップと
を有することを特徴とする画像復号方法。
【請求項３】
動き補償予測を行う画像復号プログラムであって、
復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する候補リスト生成処理と、
前記候補に含まれる第１の候補から第１の予測リストの動き情報を取得する処理と、
前記候補に含まれる第２の候補から第２の予測リストの動き情報を取得する処理と、
前記第１の予測リストの動き情報と、前記第２の予測リストの動き情報を組み合わせて、動き情報の新たな候補を生成する選択候補生成処理と
をコンピュータに実行させることを特徴とする画像復号プログラム。
【請求項４】
動き補償予測を行う受信装置であって、
動画像が符号化された符号化データを受信する受信部と、
前記符号化データをパケット処理して前記符号化ストリームを生成するパケット処理部と、
前記符号化ストリームにおける復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する候補リスト生成部と、
前記候補に含まれる第１の候補から第１の予測リストの動き情報を取得する第１の動き情報取得部と、
前記候補に含まれる第２の候補から第２の予測リストの動き情報を取得する第２の動き情報取得部と、
前記第１の動き情報取得部により取得された前記第１の予測リストの動き情報と、前記第２の動き情報取得部により取得された前記第２の予測リストの動き情報を組み合わせて、動き情報の新たな候補を生成する選択候補生成部と
を備えることを特徴とする受信装置。
【請求項５】
動き補償予測を行う受信装置であって、
動画像が符号化された符号化データを受信するステップと、
前記符号化データをパケット処理して前記符号化ストリームを生成するパケット処理ステップと、
前記符号化ストリームにおける復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する候補リスト生成ステップと、
前記候補に含まれる第１の候補から第１の予測リストの動き情報を取得するステップと、
前記候補に含まれる第２の候補から第２の予測リストの動き情報を取得するステップと、
前記第１の予測リストの動き情報と、前記第２の予測リストの動き情報を組み合わせて、動き情報の新たな候補を生成する選択候補生成ステップと
を有することを特徴とする受信方法。
【請求項６】
動き補償予測を行う受信プログラムであって、
動画像が符号化された符号化データを受信する処理と、
前記符号化データをパケット処理して前記符号化ストリームを生成するパケット処理と、
前記符号化ストリームにおける復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する候補リスト生成処理と、
前記候補に含まれる第１の候補から第１の予測リストの動き情報を取得する処理と、
前記候補に含まれる第２の候補から第２の予測リストの動き情報を取得する処理と、
前記第１の予測リストの動き情報と、前記第２の予測リストの動き情報を組み合わせて、動き情報の新たな候補を生成する選択候補生成処理と
をコンピュータに実行させることを特徴とする画像復号プログラム。
【手続補正２】
【補正対象書類名】明細書
【補正対象項目名】発明の名称
【補正方法】変更
【補正の内容】
【発明の名称】画像復号装置、画像復号方法、及び画像復号プログラム、並びに、受信装置、受信方法、及び受信プログラム
【手続補正３】
【補正対象書類名】明細書
【補正対象項目名】０００１
【補正方法】変更
【補正の内容】
【０００１】
本発明は、動き補償予測を用いた動画像符号化技術に関し、特に動き補償予測で利用する動き情報を復号する画像復号装置、画像復号方法、及び画像復号プログラム、並びに、受信装置、受信方法、及び受信プログラムに関する。
【手続補正４】
【補正対象書類名】明細書
【補正対象項目名】００１１
【補正方法】変更
【補正の内容】
【００１１】
動き補償予測を行う画像復号装置であって、復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する候補リスト生成部と、前記候補に含まれる第１の候補から第１の予測リストの動き情報を取得する第１の動き情報取得部と、前記候補に含まれる第２の候補から第２の予測リストの動き情報を取得する第２の動き情報取得部と、前記第１の動き情報取得部により取得された前記第１の予測リストの動き情報と、前記第２の動き情報取得部により取得された前記第２の予測リストの動き情報を組み合わせて、動き情報の新たな候補を生成する選択候補生成部とを備えることを特徴とする画像復号装置を提供する。
動き補償予測を行う画像復号方法であって、復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する候補リスト生成ステップと、前記候補に含まれる第１の候補から第１の予測リストの動き情報を取得するステップと、前記候補に含まれる第２の候補から第２の予測リストの動き情報を取得するステップと、前記第１の予測リストの動き情報と、前記第２の予測リストの動き情報を組み合わせて、動き情報の新たな候補を生成する選択候補生成ステップとを有することを特徴とする画像復号方法を提供する。
動き補償予測を行う画像復号プログラムであって、復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する候補リスト生成処理と、前記候補に含まれる第１の候補から第１の予測リストの動き情報を取得する処理と、前記候補に含まれる第２の候補から第２の予測リストの動き情報を取得する処理と、前記第１の予測リストの動き情報と、前記第２の予測リストの動き情報を組み合わせて、動き情報の新たな候補を生成する選択候補生成処理とをコンピュータに実行させることを特徴とする画像復号プログラムを提供する。
動き補償予測を行う受信装置であって、動画像が符号化された符号化データを受信する受信部と、前記符号化データをパケット処理して前記符号化ストリームを生成するパケット処理部と、前記符号化ストリームにおける復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する候補リスト生成部と、前記候補に含まれる第１の候補から第１の予測リストの動き情報を取得する第１の動き情報取得部と、前記候補に含まれる第２の候補から第２の予測リストの動き情報を取得する第２の動き情報取得部と、前記第１の動き情報取得部により取得された前記第１の予測リストの動き情報と、前記第２の動き情報取得部により取得された前記第２の予測リストの動き情報を組み合わせて、動き情報の新たな候補を生成する選択候補生成部と
を備えることを特徴とする受信装置を提供する。
動き補償予測を行う受信装置であって、動画像が符号化された符号化データを受信するステップと、前記符号化データをパケット処理して前記符号化ストリームを生成するパケット処理ステップと、前記符号化ストリームにおける復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する候補リスト生成ステップと、前記候補に含まれる第１の候補から第１の予測リストの動き情報を取得するステップと、前記候補に含まれる第２の候補から第２の予測リストの動き情報を取得するステップと、前記第１の予測リストの動き情報と、前記第２の予測リストの動き情報を組み合わせて、動き情報の新たな候補を生成する選択候補生成ステップとを有することを特徴とする受信方法を提供する。
動き補償予測を行う受信プログラムであって、動画像が符号化された符号化データを受信する処理と、前記符号化データをパケット処理して前記符号化ストリームを生成するパケット処理と、前記符号化ストリームにおける復号対象ブロックに隣接する複数の復号済みのブロックから、動きベクトルの情報と参照画像の情報とを少なくとも含む動き情報をそれぞれ１つまたは２つ持つ複数のブロックを選択して、選択されたブロックの動き情報から、動き補償予測に用いる動き情報の候補を含む候補リストを生成する候補リスト生成処理と、前記候補に含まれる第１の候補から第１の予測リストの動き情報を取得する処理と、前記候補に含まれる第２の候補から第２の予測リストの動き情報を取得する処理と、前記第１の予測リストの動き情報と、前記第２の予測リストの動き情報を組み合わせて、動き情報の新たな候補を生成する選択候補生成処理とをコンピュータに実行させることを特徴とする画像復号プログラムを提供する。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】